(57)【要約】【課題】個々の小型実験動物を特定し、スピーディ且つ正確にその体重の測定を行い、かつ体重の値を特定された小型実験動物のデータとして正確に保存すること。【解決手段】ＩＣタグ６を埋め込んだマウス７の体重を測定する電子天秤１と、電子天秤１の筐体１２に磁気シールド板で被覆して配した、ＩＣタグ６との通信でその識別符号（ＵＩＤ）を読み取るリーダ・ライタ２と、そのＩＣタグ６との通信用のアンテナコイル２１であって、電子天秤１の重量測定面１１に保持具４を介して配された受皿３の周囲に荷重を掛けないように配したアンテナコイル２１と、マウス７を入れてその体重を測定するための受皿３であって、保持具４を介して電子天秤１の重量測定面１１上に配した受皿３と、電子天秤１が測定したマウス７の体重の値をマウス７を特定する識別符号に関連づけて保存し、かつ表示するＰＣ５とで構成する。【選択図】  図１
2010266289.tif 000002
【特許請求の範囲】
【請求項１】
個体を識別する識別符号を保持し、かつ非接触で外部のリーダ・ライタと該識別符号を含むデータの通信が可能なＩＣタグを埋め込んだ小型実験動物について、その体重を測定し、得られた体重測定値を、該ＩＣタグとの通信で得た該小型実験動物の識別符号と対応させて保存し、該小型実験動物の体重の管理を行うことができるようにした小型実験動物用体重測定及び記録装置であって、
小型実験動物の体重を、受皿及び保持部材の重量と共に、全部又は一部が金属で構成された重量測定面で受けて測定する電子天秤と、
小型実験動物に埋め込まれたＩＣタグとその保持する識別符号を含むデータの通信を行うべく、前記電子天秤に付設し、通信用のアンテナコイルを前記電子天秤の重量測定面に加重しない状態に配したリーダ・ライタと、
小型実験動物に埋め込まれているＩＣタグと前記リーダ・ライタとの電磁波を用いた通信を妨げない材質で構成して前記電子天秤の重量測定面に前記保持部材を介して配し、その中に小型実験動物を入れてその体重を測定するために使用する前記受皿と、
前記受皿を、前記電子天秤の所定の位置に位置決めすべく、該電子天秤の重量測定面の所定の位置に固設し、該受皿に入れた小型実験動物に埋め込まれているＩＣタグと前記リーダ・ライタとの間の電磁波を用いた通信を妨げない材質で構成した保持部材と、
前記電子天秤の測定した個々の小型実験動物の体重の値及び前記リーダ・ライタを介して受け取る該小型実験動物に埋め込まれたＩＣタグの保持する識別符号の各々を受け取り、該識別符号と関連づけて該体重の値を記憶保持する記憶手段、並びに該識別符号と関連づけて該体重の値を表示するモニタを備えたコンピュータと、
で構成した小型動物用体重測定及び記録装置。
【請求項２】
前記リーダ・ライタの通信用のアンテナコイルに電磁気的に結合した補助アンテナコイルを付設した請求項１の小型実験動物用体重測定及び記録装置。
【請求項３】
前記受皿を、プラスチック、木材及びセラミックのいずれか、又はこれらのいずれか及び前記ＩＣタグと前記リーダ・ライタとの電磁波を用いた通信の妨げにならない範囲の金属を組み合わせたものの、いずれかを用いて構成した請求項１又は２の小型実験動物用体重測定及び記録装置。
【請求項４】
前記受皿を、前記保持部材に着脱自在に結合した請求項１、２又は３の小型実験動物用体重測定及び記録装置。
【請求項５】
前記受皿の底面と前記電子天秤の重量測定面との間隔を、該受皿に入れる小型実験動物に埋め込まれている前記ＩＣタグと前記リーダ・ライタとの間の電磁波を用いた通信を妨げない間隔に設定した請求項１、２、３又は４の小型実験動物用体重測定及び記録装置。
【請求項６】
前記受皿の底面と前記電子天秤の重量測定面との間隔を５０ｍｍ以上に設定した請求項５の小型実験動物用体重測定及び記録装置。
【請求項７】
前記受皿に底部周側から垂下する円筒状接続部を構成し、前記保持部材の上部に、該円筒状接続部を挿脱自在に挿入可能な、上開きの環状係止溝を構成した請求項１、２、３、４、５又は６の小型実験動物用体重測定及び記録装置。
【請求項８】
前記リーダ・ライタの通信用のアンテナコイルを、前記電子天秤の筐体に結合した支持体又は独立の支持体で支持することとした請求項１、２、３、４、５、６又は７の小型実験動物用体重測定及び記録装置。
【発明の詳細な説明】
【技術分野】
【０００１】
本発明は、個体の識別のためにＩＣタグを埋め込んだ多数の小型実験動物の体重の測定及び記録の正確性を期するための小型実験動物用体重測定及び記録装置に関する。
【背景技術】
【０００２】
マウス等の小型実験動物の管理のために固体識別の手段としてＩＣタグを採用し、これを身体の一部に取り付け、或いは身体の一部に埋め込んでいる例は多数ある。
一方、マウス等の小型実験動物の管理内容の一つとして、毎日それらの体重を測定し、測定値をノートに記録し、或いはＰＣ（パーソナルコンピュータ）に手入力で入力して保存し、管理することが行われている。
しかしこれらの従来の体重測定及び記録作業では、ＩＣタグにより個々の小型実験動物を確認しても、体重測定の際に取り違えたり、ノートやＰＣへの測定値の記録乃至入力の際に間違った欄に記入したり、転記ミスをしたり等の危険があり、更にこの作業に費やされる労力も大きなものとなっている。
【０００３】
特許文献１は、家禽個体管理システムに関するものであり、これは、複数羽の家禽にそれぞれ付着可能で、家禽毎に異なる識別コードを記載可能で、且つ、非接触方式によるデータ通信が可能な記憶タグと、その記憶タグから非接触方式により識別コードを読み取ることが可能で且つその読み取った識別コードを提示可能なリーダ手段と、そのリーダ手段により読み取られる識別コードに対応つけて家禽毎の成長過程に関する家禽管理情報を記憶する記憶手段と、その記憶手段への識別コードに対応つけて家禽管理情報を入力する入力手段と、その入力手段により前記記憶手段へ記憶された家禽管理情報を管理者に提示する出力手段とを備えている家禽個体管理システムであって、識別コードに対応つけて前記記憶手段に記憶される家禽管理情報が、家禽の体重値等である家禽個体管理システムである。
【０００４】
この家禽個体管理システムは、個々の家禽に付着させた記憶タグを用いて、その保持する識別コードにより個々の家禽を識別するものであるが、識別コードによって家禽を特定した上で、装置外の体重測定手段で該家禽の体重を測定し、その値を、キーボードやマウス等の入力手段を用いて手入力するものである。それ故、最初に説明した例と同様に、家禽を取り違えるおそれや、体重の値の入力時に入力欄を誤るおそれ等もあり、最初に説明した例と同様の問題がある。
【０００５】
特許文献２は、動物健康管理装置に関するものであり、これは、動物の体重値を入力する体重値入力手段と、動物の四肢の付け根にインピーダンス測定電極を接触させ、前後脚間のインピーダンス値を測定するインピーダンス測定手段と、動物の前後脚付け根間の距離を入力する脚間距離入力手段と、前記体重値と、前記前後脚間インピーダンス値と、前記前後脚付け根間の距離とから、健康評価データを算出する健康評価データ算出手段とを有する動物健康管理装置である。
【０００６】
この動物健康管理装置は、その体重値入力手段が、動物の胸部、腹部、両脚部又は四肢の付け根の内少なくとも一箇所を載置し保定する保定手段を更に有し、動物の脚を前記保定手段以外に接触させない状態で保定することにより、保定された動物の体重を測定し入力するように構成されているものであり、対象の動物を保定手段に保定させれば、自動的に体重を測定し、その値を入力するもののようである。従ってその限りでは間違いが生じることはなさそうであるが、対象動物を特定するための手段が存在していないので、その取り違えの問題があり、これを何らかの手段で特定したとしても、その入力は手入力に成らざるを得ず、厄介であると共に、誤った入力を完全には回避できない問題がある。また前記保定手段は、マウス等の動作が敏捷な小型実験動物の保定の手段としては適切とは思われない。
【０００７】
特許文献３は、動物の体重測定装置に関するものであり、これは、体重測定中のアナログ実測信号に対して一定時間間隔置きにサンプリングした実測体重データを時系列的に出力する電子天秤部と、相前後する実測体重データを比較してその偏差値を求める偏差値検出機能部と、前記偏差値が予め設定した設定値以下か否かを判定する偏差値判定機能部と、前記偏差値が設定値以下になったときの実測体重データを正規体重データとして読み取るデータ読取機能部を備えた動物の体重測定装置である。
【０００８】
この動物の体重測定装置は、測定対象の動物が測定中に動き回って実測体重値が変動しても、より正確な値をスピーディに読み取ることが可能なものであると思われる。しかしそれに限定され、測定対象を特定する手段等が備えられていないため、他の何らかの手段でそれを特定し、記録する際には、人手によりその入力を行う他ない。その点では最初の例及び特許文献１、２の例と同様の問題がある。
【先行技術文献】
【特許文献】
【０００９】
【特許文献１】特開２００６−８１４９５号公報
【特許文献２】特開２００４−２５４６１６号公報
【特許文献３】実用新案登録第３００７５９５号公報
【発明の概要】
【発明が解決しようとする課題】
【００１０】
本発明は、以上の従来技術の問題点を解消し、マウス等の小型実験動物の管理に於いて、個々の小型実験動物を正確に特定した上で、スピーディ且つ正確にそれらの体重の測定を行い、更に得られた体重の値を特定された小型実験動物のデータとして正確にＰＣのデータベースに登録することのできる小型実験動物用体重測定及び記録装置を提供することを解決の課題とする。
【課題を解決するための手段】
【００１１】
本発明の１は、個体を識別する識別符号を保持し、かつ非接触で外部のリーダ・ライタと該識別符号を含むデータの通信が可能なＩＣタグを埋め込んだ小型実験動物について、その体重を測定し、得られた体重測定値を、該ＩＣタグとの通信で得た該小型実験動物の識別符号と対応させて保存し、該小型実験動物の体重の管理を行うことができるようにした小型実験動物用体重測定及び記録装置であって、
小型実験動物の体重を、受皿及び保持部材の重量と共に、全部又は一部が金属で構成された重量測定面で受けて測定する電子天秤と、
小型実験動物に埋め込まれたＩＣタグとその保持する識別符号を含むデータの通信を行うべく、前記電子天秤に付設し、通信用のアンテナコイルを前記電子天秤の重量測定面に加重しない状態に配したリーダ・ライタと、
小型実験動物に埋め込まれているＩＣタグと前記リーダ・ライタとの電磁波を用いた通信を妨げない材質で構成して前記電子天秤の重量測定面に前記保持部材を介して配し、その中に小型実験動物を入れてその体重を測定するために使用する前記受皿と、
前記受皿を、前記電子天秤の所定の位置に位置決めすべく、該電子天秤の重量測定面の所定の位置に固設し、該受皿に入れた小型実験動物に埋め込まれているＩＣタグと前記リーダ・ライタとの間の電磁波を用いた通信を妨げない材質で構成した保持部材と、
前記電子天秤の測定した個々の小型実験動物の体重の値及び前記リーダ・ライタを介して受け取る該小型実験動物に埋め込まれたＩＣタグの保持する識別符号の各々を受け取り、該識別符号と関連づけて該体重の値を記憶保持する記憶手段、並びに該識別符号と関連づけて該体重の値を表示するモニタを備えたコンピュータと、
で構成した小型実験動物用体重測定及び記録装置である。
【００１２】
本発明の２は、本発明の１の小型実験動物用体重測定及び記録装置に於いて、前記リーダ・ライタの通信用のアンテナコイルに電磁気的に結合した補助アンテナコイルを付設したものである。
【００１３】
本発明の３は、本発明の１又は２の小型実験動物用体重測定及び記録装置に於いて、前記受皿を、プラスチック、木材及びセラミックのいずれか、又はこれらのいずれか及び前記ＩＣタグと前記リーダ・ライタとの電磁波を用いた通信の妨げにならない範囲の金属を組み合わせたものの、いずれかを用いて構成したものである。
【００１４】
本発明の４は、本発明の１、２又は３の小型実験動物用体重測定及び記録装置に於いて、前記受皿を、前記保持部材に着脱自在に結合するものとしたものである。
【００１５】
本発明の５は、本発明の１、２、３又は４の小型実験動物用体重測定及び記録装置に於いて、前記受皿の底面と前記電子天秤の重量測定面との間隔を、該受皿に入れる小型実験動物に埋め込まれている前記ＩＣタグと前記リーダ・ライタとの間の電磁波を用いた通信を妨げない間隔に設定したものである。
【００１６】
本発明の６は、本発明の５の小型実験動物用体重測定及び記録装置に於いて、前記受皿の底面と前記電子天秤の重量測定面との間隔を５０ｍｍ以上に設定したものである。
【００１７】
本発明の７は、本発明の１、２、３、４、５又は６の小型実験動物用体重測定及び記録装置に於いて、前記受皿に底部周側から垂下する円筒状接続部を構成し、前記保持部材の上部に、該円筒状接続部を挿脱自在に挿入可能な、上開きの環状係止溝を構成したものである。
【００１８】
本発明の８は、本発明の１、２、３、４、５、６又は７の小型実験動物用体重測定及び記録装置に於いて、前記リーダ・ライタの通信用のアンテナコイルを、前記電子天秤の筐体に結合した支持体又は独立の支持体で支持することとしたものである。
【発明の効果】
【００１９】
本発明の１の小型実験動物用体重測定及び記録装置によれば、その受皿に小型実験動物を入れると、これに埋め込まれているＩＣタグの保持する識別符号が電磁波を介してリーダ・ライタにより読み取られ、該識別符号がデータ伝送路を通じてコンピュータに伝送され、その記憶手段に保存され、他方、受皿に入れられた小型実験動物は、電子天秤でその体重が測定され、その値が、同様にデータ伝送路を通じてコンピュータに伝送され、その記憶手段に該識別符号と関連づけられて保存される。また同時に該コンピュータのモニタで識別符号に関連づけられて体重の値が表示される。なお、この装置は、計測開始に当たって、前記電子天秤の読みをゼロに調整する操作、即ち、その体重測定面に配された保持部材と受皿の重量分をリセットするゼロ設定を予め行っておくものとする。
【００２０】
こうして、装置の受皿に許容されるタイミングで順次小型実験動物を入れるだけで、自動的に、該小型実験動物を特定する識別符号が読み取られ、かつ体重が測定されて、該識別符号に関連づけてコンピュータの記憶手段に保存され、同時にモニタでもそれが表示される。手作業による厄介な入力がなくなり、かつその過程で生じるおそれのある誤入力等を確実に回避することができる。
【００２１】
なお、以上の装置の動作過程に於いて、前記受皿と前記保持部材を、ＩＣタグとリーダ・ライタとの電磁波を用いた通信に悪影響を与えない材質で構成したので、前記識別符号の読み取りは確実に行い得るものとなる。また前記リーダ・ライタもその通信用のアンテナコイルも電子天秤の重量測定機能に影響を与えないように設置してあるので、得られる小型実験動物の体重の値は正確なものとなる。
【００２２】
本発明の２の小型実験動物用体重測定及び記録装置によれば、受皿に入れられた小型実験動物中のＩＣタグと電子天秤に付設されたリーダ・ライタとの電波を用いた通信がより確実に行われうるものとなる。
【００２３】
本発明の３の小型実験動物用体重測定及び記録装置によれば、前記受皿と前記保持部材が、ＩＣタグとリーダ・ライタとの電磁波を用いた通信に悪影響を与えない材質で構成されているので、前記識別符号の読み取りが確実に行い得られる。
【００２４】
本発明の４の小型実験動物用体重測定及び記録装置によれば、受皿が保持部材に着脱自在になっているため、必要に応じてこれを取り外して洗浄したり消毒したりすることが容易にできる。
【００２５】
本発明の５又は６の小型実験動物用体重測定及び記録装置によれば、受皿に入れられた小型実験動物中のＩＣタグと電子天秤に付設されたリーダ・ライタとの電波を用いた通信が、電子天秤の重量測定面の金属による電磁波の反射等に起因する悪影響を回避して、より確実に行われ得るものとなる。
【００２６】
本発明の７の小型実験動物用体重測定及び記録装置によれば、前記受皿の前記保持部材への着脱が容易であるため、必要に応じて該受皿を該保持部材から取り外してその洗浄や消毒を行うことが可能である。またその構成が簡単であり、容易に作成できるものでもある。
【００２７】
本発明の８の小型実験動物用体重測定及び記録装置によれば、前記リーダ・ライタの通信用のアンテナコイルを前記電子天秤の重量測定面に加重するおそれのない状態で支持することが可能であり、それ故、正確な小型実験動物の体重測定を行うことができる。
【図面の簡単な説明】
【００２８】
【図１】実施例１を示す模式図（筐体内の電源コードは省略）。
【図２】実施例１のＰＣのモニタに表示されたデータベースソフトの画面を示す図。
【図３】実施例２を示す模式図（筐体内の電源コードは省略）。
【図４】実施例３を示す模式図（筐体内の電源コードは省略）。
【図５】実施例３の一次アンテナコイル、二次アンテナコイルを示す断面図。
【図６】実施例１、２、３の受皿及び保持具の説明用の断面図。
【図７】電子天秤重量測定面と受皿底面との距離との関係に於けるＵＩＤ読み取り確率を示す表図。
【発明を実施するための形態】
【００２９】
発明を実施するための形態を、図面を参照しながら実施例１〜３に基づいて説明する。
【００３０】
＜実施例１＞
この実施例１の小型実験動物用体重測定及び記録装置は、図１に示すように、マウス用体重測定及び記録装置に構成したものであり、基本的に、マウス７の体重を測定する電子天秤１と、該電子天秤１に付設したリーダ・ライタ２と、マウス７を入れてその体重を測定するための受皿３と、該受皿３を前記電子天秤１の重量測定面１１上に設置するための保持具（保持部材）４と、測定して得たマウス７の体重の値を該マウス７に埋め込んであるＩＣタグ６との通信で得た該マウス７を特定する識別符号に関連づけて保存し、かつ表示するポータブル型のパーソナルコンピュータ（コンピュータ、以下ＰＣと表示する）５とで構成したものである。
【００３１】
前記電子天秤１は、図１に示すように、薄型でほぼ直方体状の筐体１２の天板部にステンレス製の重量測定面１１を構成し、内部に体重測定部１３を収容し、かつ下面の四隅付近に高さ調整自在な調節脚１４、１４…を配して構成したものであり、重量測定面１１及び体重測定部１３の構成は、ロードセル式による公知の構成を採用している。この電子天秤１は、図示していないが、測定重量の値を較正するための較正部を備えている。この較正部は前記受皿３及び保持具４の重量分をリセットするゼロ設定部としても機能することができる。
【００３２】
前記リーダ・ライタ２は、図１に示すように、前記電子天秤１の筐体１２の空きスペース内に、図示しない磁気シールド板で被覆した上で、配置し、該リーダ・ライタ２の通信用のアンテナコイル２１は、前記保持具４に装着された受皿３の周囲にその軸心を相互にほぼ一致させた状態に配する。該リーダ・ライタ２と該アンテナコイル２１とは、前記電子天秤１の筐体１２の一側に配してある入出力端子部１５及びアンテナ用配線１７を介して接続する。このアンテナ用配線１７には同軸ケーブルを用いている。
【００３３】
該リーダ・ライタ２は、測定対象のマウス７に埋め込むＩＣタグ６に対応するそれであり、前記通信用のアンテナコイル２１を介して該ＩＣタグ６の保持する識別符号及びその他のデータを電磁波を用いてやり取りするものである。この実施例１では、該リーダ・ライタ２のキャリア周波数は１３．５６ＭＨｚ、出力は１Ｗである。
【００３４】
前記アンテナコイル２１は、ループアンテナで、前記のように、その中心を前記受皿３の中心にほぼ一致させてその周囲に配置する。その高さは、実験的に最も感度の良いそれを見出して決定するが、この実施例１では、該受皿３の底面３３より僅かに上方の位置に位置決めしている。これは前記電子天秤１の重量測定面１１から５０ｍｍを若干越える高さ位置である。該アンテナコイル２１は、この実施例１では、図１に示すように、電子天秤１とは独立したアンテナ支持体２２で支持したものである。このアンテナ支持体２２は、アクリル樹脂で作成した部材であり、同図に示すように、下部の拡大した支持体基部２２１と、該支持体基部２２１から直立する支柱部２２２と、該支柱部２２２から側方に延長する支持腕部２２３とからなり、該アンテナコイル２１は、塩化ビニルの円環状支持パイプ２２４中に配された状態で、該円環状支持パイプ２２４を介して該支持腕部２２３の先端で支持されるようになっている。
【００３５】
前記ＩＣタグ６は、前記のように、前記リーダ・ライタ２と対応するものであり、ＩＣチップ及びアンテナコイルからなるインレットをウレタンシートで挟持状に被覆した短冊状（長さ１２ｍｍラ幅２ｍｍラ厚さ０．６ｍｍ）のものであり、共振周波数１３．５６ＭＨｚの近接型ＲＦＩＤである。ＩＣチップは、この実施例１では、ＵＩＤと称する識別符号及びその他の種々のデータを１２５バイトまで保存可能な記憶手段を有し、かつ演算機能をも備えたそれを採用している。ＵＩＤ以外のデータとしては、マウス７の血統、生年月日、飼育歴、体重、体温等を保持するものである。
【００３６】
前記受皿３は、図１及び図６に示すように、この実施例１では、その上部を上広がり円筒状の受皿本体３１に構成し、下部を、該受皿本体３１の底部周側からストレートに垂下する円筒状接続部３２に構成したものである。図１及び図６中、３３は、受皿３の底面である。またこの受皿３は、この実施例１では、ＡＢＳ樹脂（アクリロニトリル・ブタジエン・スチレン共重合樹脂）で成形したものであり、サイズは、上端開口部の内径Ｄ３は１９０ｍｍ、受皿本体３１の高さＨ２は１００ｍｍ、下部の円筒状接続部３２の内径Ｄ４は１００ｍｍ、高さＨ３は４０ｍｍである。なお、この受皿３は、その内面をできるだけ滑らかに加工して、マウス７が爪を立てて逃げ出すことができないようにする。その観点で、前記ＡＢＳ樹脂でも十分有効であるが、より硬質のプラスチックで作成すれば更に好ましい。
【００３７】
前記保持具４は、図１及び図６に示すように、この実施例１では、前記電子天秤１の重量測定面１１にその下面を接合固着する円盤状の保持具基部４１と、該保持具基部４１の周縁から立ち上がる円筒部４２と、該円筒部４２の上端に開口させた環状係止溝４３とで構成したものである。該環状係止溝４３は、同図に示すように、前記受皿３の下部の円筒状接続部３２をスムーズに、しかし相互間に無用な隙間の生じないように挿入可能に構成する。該保持具４に、前記受皿３を、前者の環状係止溝４３に後者の下部の円筒状接続部３２を挿脱自在に挿入可能とすることにより、着脱自在に結合可能としたものである。またこの保持具４は、該受皿３と同様に、ＡＢＳ樹脂で成形したものであり、そのサイズは、高さＨ４：４０ｍｍ、外径Ｄ６：１１２ｍｍ、内径Ｄ５：９４ｍｍ、その環状係止溝４３の溝幅Ｗは約３ｍｍで、前記受皿３の円筒状接続部３２を滑らかに挿入可能な寸法であり、かつその深さＨ５は３０ｍｍとなっている。
【００３８】
なお、この保持具４は、前記のように、保持具基部４１の下面を前記電子天秤１の重量測定面１１に接合固着するものであるが、この実施例１では、接着剤を用いて接着固定した。またこの接着固定は、保持具基部４１の中心と該重量測定面１１の中心とを一致させて行ったものである。
【００３９】
前記ＰＣ５は、前記したように、ポータブル型のそれであり、この実施例１では、市販の一般的なそれを採用した。該ＰＣ５は、図１に示すように、前記電子天秤１の体重測定部１３及び前記リーダ・ライタ２と、該電子天秤１の入出力端子部１５を介して接続してある。これらの接続はいずれもＲＳ２３２Ｃインターフェースによる。入出力端子部１５には、電子天秤１用及びリーダ・ライタ２用の電源ラインも延長してあり、その接続部から電源コード１６が引き出されている。
【００４０】
該ＰＣ５は、この実施例１では、測定対象のマウス７の識別符号であるＵＩＤ、測定値である体重の値及び計測日時を登録し、その他の種々の処理を行うことのできるデータベースを構成するプログラムがインストールしてあり、これによって、それらのデータが該ＰＣ５の備える記憶手段である内蔵ハードディスクに保存され、モニタ５１に、図２に示すように、表形式で表示されるようになっている。
【００４１】
またこの実施例１では、該ＰＣ５は、これにインストールしてあるプログラムにより、計測開始操作をすると、前記電子天秤１の体重測定部１３及びリーダ・ライタ２との間で前記ＲＳ２３２Ｃインターフェースを介して信号のやり取りを行うようになっている。
【００４２】
詳細には、モニタ５１に表示されている計測開始ボタン５１１をクリックし、データの受け入れが可能になると、ＰＣ５は、その旨の信号を電子天秤１の体重測定部１３及びリーダ・ライタ２に送出する。この後、これを受け取った体重測定部１３及びリーダ・ライタ２から、これに応じて体重値データ及びＵＩＤデータが発せられると、これらを受け取り、更に該ＰＣ５の有する時計機能から日時データを読み取って、該体重値データ、ＵＩＤデータ及び日時データを相互に関連づけて登録すると共に、該体重値データを計測データ欄５１２に表示し、関連づけた上記データをデータ表示欄５１３に表示する。またこの時点での計測件数を計測件数欄５１４に表示する。該計測件数は、受け取った体重値データの数を計数してその数値データを表示する。
【００４３】
以上の動作が完了すると、ＰＣ５は、データの受け入れが可能になった旨の信号を送出し、以上の動作を繰り返すことになる。こうして必要数のマウス７、７…の体重測定及び記録が完了した後、終了ボタン５１５をクリックすると、この実施例１では、登録された以上の全データが、ＰＣ５に内蔵されている記憶手段であるハードディスクに保存され、その後、このデータベースソフトの動作が終了するようになっている。その他、この実施例１では、以上の全データを、ＣＳＶ保存のボタン５１６をクリックすることで、ＣＳＶ形式で保存することも可能になっている。
【００４４】
なお、既に保存されているＵＩＤについての新たな体重値データを保存することになる場合には、対応するＵＩＤの記憶領域に新たな体重値データ及び日時データが追記されるようになっている。
【００４５】
なおまた、図中、５２は、ＰＣ５の入力手段であるキーボードである。
【００４６】
従ってこの実施例１のマウス用体重測定及び記録装置は次のように使用する。
まず、洗浄し、消毒した清潔な受皿３を、電子天秤１の重量測定面１１上に固設した保持具４に、先に説明したように、前者の円筒状接続部３２を環状係止溝４３に挿入することによりセットする。また前記ＰＣ５を前記ＲＳ２３２Ｃインターフェースによるケーブルで接続し、電源コード１６のプラグをコンセント等に接続し、電子天秤１及びリーダ・ライタ２のメインスイッチをオンにし、更にＰＣ５の電源をオンとし、ＰＣ５にインストールしてある前記データベースソフトを立ち上げる。
【００４７】
なお、以上の準備操作に前後して、前記電子天秤１の読みをゼロに調整する操作、即ち、その体重測定面１１に配された保持具４と受皿３の重量分をリセットするゼロ設定を予め行っておくこととする。また電子天秤１の筐体１２の下面に配してある調節脚１４、１４…を調節して該筐体１２の上面が水平になるようにしておく。
【００４８】
その後、使用者が、ＰＣ５のモニタ５１に表示される前記計測開始ボタン５１１をクリックして動作を開始させる。この後、ＰＣ５側でデータの受け入れが可能になると、その旨の信号が電子天秤１の体重測定部１３及びリーダ・ライタ２に送出され、これを受け取った体重測定部１３及びリーダ・ライタ２から、それに応じて体重値データ及びＵＩＤデータが発せられる。ＰＣ５は、これらを受け取ると、更に該ＰＣ５の有する時計機能から日時データを読み取って、該体重値データ、ＵＩＤデータ及び日時データを相互に関連づけて該データベースに登録すると共に、該体重値データを計測データ欄５１２に表示し、関連づけた以上のデータをデータ表示欄５１３に表示する。またこの時点での計測件数を計測件数欄５１４に表示する。該計測件数は、受け取った体重値データの数を順次計数してその数値データを表示する。
【００４９】
以上の一サイクルの動作が完了すると、ＰＣ５は、データの受け入れが可能になった旨の信号を順次電子天秤１及びリーダ・ライタ２に送出し、以上の動作サイクルを繰り返すことになる。こうして必要数のマウス７、７…の体重測定及び記録が完了した後、終了ボタン５１５をクリックすると、この実施例１では、データベースに登録された以上の全データが、ＰＣ５に内蔵されている記憶手段であるハードディスクに保存され、その後、このデータベースソフトの動作が終了する。
【００５０】
以上に於いて、マウス７の特定は、該マウス７に埋め込んであるＩＣタグ６と前記リーダ・ライタ２とが電磁波を介した通信を行うことによって、前者が保持する識別符号であるＵＩＤを読み取ることによって行う。リーダ・ライタ２は、ＵＩＤデータをＰＣ５に前記の手順で送り、ＰＣ５では、新たなＵＩＤであれば、データベースに新たに登録し、別に読み込む電子天秤１からの体重値データを当該のＵＩＤの所定の記入欄に記入登録する。前記のように、対応する所定の記入欄に測定日時も記入登録する。
【００５１】
このように、マウス７を特定するＵＩＤデータと当該のマウス７の体重値データとは、自動的に関連づけて登録されるので、手作業で行う場合のような取り違え等が起こるおそれがない。
【００５２】
ＵＩＤが登録済みのそれであれば、データベース中の当該のＵＩＤが検索され、別に電子天秤１から読み込む体重値データは当該のＵＩＤの所定の記入欄に追記登録されることになる。この場合も、自動的に所定のＵＩＤと関連づけられるので、これを人手で行う場合のように誤るおそれは全くない。
【００５３】
前記マウス７の体重測定は、対象のマウス７を前記受皿３に入れることにより、自動的に行うものであるが、このとき、前記リーダ・ライタ２の通信用のアンテナコイル２１は、電子天秤１から独立した前記アンテナ支持体２２で支持されており、受皿３や保持具４に全く接触しておらず、電子天秤１の重量測定面１１に荷重を掛けるおそれが全くないので、測定対象のマウス７の体重測定を正確に行うことができる。
【００５４】
また前記受皿３は、その円筒状接続部３２の高さＨ３を４０ｍｍとし、これを挿入接続する保持具４の高さＨ４を４０ｍｍに、そしてその環状係止溝４３の深さＨ５を３０ｍｍとしたため、該受皿３の底面３３の高さは、電子天秤１の重量測定面１１から５０ｍｍとなる。他方、リーダ・ライタ２のアンテナコイル２１も該重量測定面１１から５０ｍｍを若干越える高さ位置に配してある。従って受皿３に入れられたマウス７のＩＣタグ６との電磁波による通信は該重量測定面１１から５０ｍｍを越える高さで行われ、該重量測定面１１からの電磁波の反射による悪影響を回避することができる。そのため、ＵＩＤデータ等のデータの読み取りエラー等の問題の生じるおそれは殆どない。
【００５５】
前記受皿３と前記保持具４とは、ＡＢＳ樹脂で構成されているため、この面でも、ＩＣタグ６とリーダ・ライタ２との電磁波を用いた通信に悪影響を与えない。
更にまた前記受皿３は、保持具４に着脱自在に配したものであるため、必要に応じて取り外して、洗浄や消毒を行うことができる利点を有する。
【００５６】
測定対象の全てのマウス７、７…の測定及びそのデータベースへの登録が完了した後、終了ボタン５１５をクリックすると、この実施例１では、登録された以上の全データが、ＰＣ５に内蔵されている記憶手段であるハードディスクに保存され、その後、このデータベースソフトの動作が終了する。またこの実施例１では、以上の全データを、必要があれば、ＣＳＶ保存のボタン５１６をクリックすることで、ＣＳＶ形式で保存することも可能である。
【００５７】
この実施例１の小型実験動物用体重測定及び記録装置で６００匹のマウス７、７…の体重測定及び記録を行ったところ、体重測定及び記録は良好に行われ、ＩＣタグ６とリーダ・ライタ２間の通信エラーは１件も生じなかった。図７に示すように、受皿３の底面３３及びアンテナコイル２１の電子天秤１の重量測定面からの高さが５０ｍｍを越えていれば、ＵＩＤの読み取りは１００％成功するものとなった。これに対して、受皿３及び保持具４のみを交換し、受皿の底面を電子天秤１の重量測定面から４０ｍｍの高さにし、前記アンテナコイル２１の高さも該重量測定面から４０ｍｍの高さに設置したところ、同図に示すように、ＵＩＤの読み取りエラーが約７％発生する結果となった。もっともこの程度の高さの場合は、一度の読み取りでエラーとなっても、受皿内のマウス７の向きを変えると、読み取りは成功した。なお、図７中の平行斜線部分は、ＵＩＤ読み取り可否のばらつきを示している。
【００５８】
＜実施例２＞
この実施例２の小型実験動物用体重測定及び記録装置は、実施例１と同様に、マウス用体重測定及び記録装置に構成したものであり、図３に示すように、基本的に、マウス７の体重を測定する電子天秤１と、該電子天秤１に、これとは別の筐体２ａ２に収容して付設したリーダ・ライタ２ａと、マウス７を入れてその体重を測定するための受皿３ａと、該受皿３ａを前記電子天秤１の重量測定面１１上に設置するための保持具４ａと、測定して得たマウス７の体重の値を該マウス７に埋め込んであるＩＣタグ６ａとの通信で得た該マウス７を特定する識別符号であるＵＩＤに関連づけて保存し、かつ表示するポータブル型のＰＣ５とで構成したものである。
【００５９】
この実施例２では、電子天秤１及びＰＣ５は、各々実施例１のそれらと全く同様の構成である。ＰＣ５は、それにインストールされているデータベースソフトも同様である。
前記リーダ・ライタ２ａは、それ自体の構成としては、出力が３００ｍＷであること及びその通信用のアンテナコイル２ａ１の内径が９９ｍｍであって若干小径であることを除いては、実施例１のリーダ・ライタ２と全く同様である。もっとも、このリーダ・ライタ２ａは、実施例１のリーダ・ライタ２のように電子天秤１の筐体１２中に配するのではなく、独自の筐体２ａ２中に、電子天秤１からの影響を回避するために磁気シールド板で被覆して配したものである。この筐体２ａ２は、同図に示すように、電子天秤１の筐体１２と全く同様の寸法形状であり、下面の四隅付近に、電子天秤１の筐体１２の調節脚１４、１４…と同様の調節脚２ａ３、２ａ３…が配してあるものである。前記電子天秤１は、このリーダ・ライタ２ａの筐体２ａ２上に載せた状態に配置する。
【００６０】
該リーダ・ライタ２ａのアンテナコイル２ａ１は、図３に示すように、該リーダ・ライタ２ａの筐体２ａ２の側部から立ち上げたアンテナ支持体２ａ４で支持する。該アンテナコイル２ａ１は、同図に示すように、前記保持具４ａに装着された受皿３ａの周囲にその軸心を相互にほぼ一致させた状態に配する。該リーダ・ライタ２ａと該アンテナコイル２ａ１とは、該リーダ・ライタ２ａ用の筐体２ａ２の一側部に配してある入出力端子部及びアンテナ用配線２ａ６を介して接続する。このアンテナ用配線２ａ６には同軸ケーブルを用いている。またリーダ・ライタ２ａから延びる電源コード２ａ５が筐体２ａ２から延長状態になっている。
【００６１】
前記アンテナコイル２ａ１は、前記のように、その中心を前記受皿３ａの中心にほぼ一致させてその周囲に配置する。その高さは、当然、実験的に最も感度の良いそれを見出して決定するが、この実施例１では、該受皿３ａの底面３ａ３より僅かに上方の位置に位置決めしている。これは前記電子天秤１の重量測定面１１から５０ｍｍを若干越える高さ位置である。該アンテナコイル２ａ１は、この実施例２では、図３に示すように、リーダ・ライタ２ａの筐体２ａ２の側部から立ち上げたアンテナ支持体２ａ４で支持したものである。このアンテナ支持体２ａ４は、アクリル樹脂製の部材であり、同図に示すように、下部の横方向に延びる水平基部２ａ４１と、該水平基部２ａ４１から直立する支柱部２ａ４２と、該支柱部２ａ４２の上端から側方に延長する支持腕部２ａ４３とからなり、該アンテナコイル２ａ１は、該支持腕部２ａ４３の先端で支持されるようになっている。該アンテナコイル２ａ１は、詳細には、塩化ビニル製の円環状支持パイプ２ａ４４に挿入した上で、該円環状支持パイプ２ａ４４を介して前記アンテナ支持体２ａ４の支持腕部２ａ４３で支持するものである。
【００６２】
前記受皿３ａは、実施例１の受皿３と基本構成が同様であり、同様の材質で構成し、同様の構成要素からなる。即ち、上部の上広がり円筒状の受皿本体３ａ１と下部のストレートな円筒状接続部３ａ２とで構成したものである。図３及び図６中、３ａ３は、受皿３ａの底面である。この受皿３ａは、サイズのみが実施例１の受皿３と異なり、上端開口部の内径Ｄ３は１７５ｍｍ、受皿本体３ａ１の高さＨ２は１００ｍｍ、下部の円筒状接続部３ａ２の内径Ｄ４は９２ｍｍ、高さＨ３は４０ｍｍである。
【００６３】
前記保持具４ａは、図３及び図６に示すように、この実施例１の保持具４とほぼ同様であり、同様の材質で、同様の機能を有する構成要素からなる。具体的には、円盤状の保持具基部４ａ１と、円筒部４ａ２と、該円筒部４ａ２の上端に開口させた環状係止溝４ａ３とからなる。云うまでもなく、該環状係止溝４ａ３は、前記受皿３ａの円筒状接続部３ａ２をスムーズに、しかし相互間に無用な隙間の生じないように挿入可能に構成したものである。該保持具４ａに、前記受皿３ａを、前者の環状係止溝４ａ２に後者の下部の円筒状接続部３ａ２を挿脱自在に挿入可能とすることにより、着脱自在に結合可能としたものである。またこの保持具４ａは、該受皿３ａと同様にの材質で成形したものであり、そのサイズは、高さＨ４：４０ｍｍ、外径Ｄ６：１０４ｍｍ、内径Ｄ５：８６ｍｍ、その環状係止溝４ａ３の溝幅Ｗは３ｍｍ、深さＨ５は３０ｍｍである。
【００６４】
なお、この保持具４ａは、前記のように、保持具基部４ａ１の下面を前記電子天秤１の重量測定面１１に接合固着するものであるが、この実施例２でも、実施例１と同様に、接着剤を用いて接着固定した。またこの接着固定は、保持具基部４ａ１の中心と該重量測定面１１の中心とを一致させて行ったものである。
【００６５】
前記ＩＣタグ６ａは、実施例１のＩＣタグ６とほとんど同様の構成であり、同様の通信機能、データ記憶機能及び演算機能を有しており、マウス７に埋め込んで使用するものである。前記リーダ・ライタ２ａに対応しており、これと良好に通信可能なものでもある。
【００６６】
従ってこの実施例２のマウス用体重測定及び記録装置は実施例１のそれと全く同様に使用可能であり、同様の効果を有する。
【００６７】
若干異なる部分に関して以下に述べる。
この実施例２のリーダ・ライタ２ａは、実施例１のリーダ・ライタ２の出力が１Ｗであるのに対して、３００ｍＷであるが、マウス７中に埋め込まれたＩＣタグ６ａとの通信はほぼ不都合なく行い得られた。６００匹のマウス７、７…の測定・記録を連続的に行ってみたが、その内、３匹についてＵＩＤの読み取りが直ちにできないことがあり、そのときは、マウス７の位置を少し変えることにより、いずれも直ちに通信に成功した。従ってリーダ・ライタ２ａは、マウス７、７…を特定する識別符号であるＵＩＤをＩＣタグ６ａからほとんど不都合無く読み込むことができたと云える。
【００６８】
またこの実施例２のリーダ・ライタ２ａの通信用のアンテナコイル２ａ１の有効内径も実施例１のアンテナコイル２１より小さいが、これも、以上のように、全く問題とならなかった。確実なリーダ・ライタ２ａとＩＣタグ６ａとの通信が確保し得ている。
【００６９】
更に又この実施例２の受皿３ａは、実施例１の受皿３より若干径が小さいが、使い勝手上はそれ程問題にはならなかった。
リーダ・ライタ２ａの筐体２ａ２を別に構成した点も、この筐体２ａ２と電子天秤１の筐体１２との二つの筐体２ａ２、１２を重ねる点、及び両者の調節脚１４、１４…、２ａ３、２ａ３…を調節するのが若干煩わしいかもしれないが、一度調節するだけで、長期間安定に維持可能であり、それ程手間の掛かる作業でもない。
更には、前記アンテナ支持体２ａ４がリーダ・ライタ２ａの筐体２ａ２の側部から立ち上げてあるため、該筐体２ａ２の上の予め定められた位置に、電子天秤１の筐体１２を正確に重ねれば、自ずと該アンテナ支持体２ａ４が支持するアンテナコイル２ａ１の正確な位置決めがなされることになる。それ故、アンテナコイル２ａ１の位置決めが容易になる利点がある。勿論、アンテナ支持体２ａ４それ自体の安定性も高まっている。
【００７０】
＜実施例３＞
この実施例３の小型実験動物用体重測定及び記録装置は、実施例１及び２と同様に、マウス用体重測定及び記録装置に構成したものであり、図４に示すように、基本的に、マウス７の体重を測定する電子天秤１と、該電子天秤１に、これとは別の筐体２ａ２に収容して付設したリーダ・ライタ２と、マウス７を入れてその体重を測定するための受皿３ｂと、該受皿３ｂを前記電子天秤１の重量測定面１１上に設置するための保持具４と、測定して得たマウス７の体重の値を該マウス７に埋め込んであるＩＣタグ６との通信で得た該マウス７を特定する識別符号であるＵＩＤに関連づけて保存し、かつ表示するポータブル型のＰＣ５とで構成したものである。
【００７１】
この実施例３では、電子天秤１、リーダ・ライタ２、ＩＣタグ６、ＰＣ５及び保持具４は、各々実施例１のそれらと全く同様の構成である。ＰＣ５は、それにインストールされているデータベースソフトも同様である。またリーダ・ライタ２を収容する筐体２ａ２は、実施例２の筐体２ａ２と同様である。それ故、これらに関しては、特に説明をせず、これ以外の要素に関してのみ説明する。
【００７２】
前記リーダ・ライタ２は、実施例１のリーダ・ライタ２と全く同様の構成であるが、その通信用のアンテナコイル２４は実施例１のアンテナコイル２１とは異なる。そこでこのアンテナコイル２４に関して説明する。このアンテナコイル２４は、一次アンテナコイル（アンテナコイル）２４１と電磁的に結合した二次アンテナコイル（補助アンテナコイル）２４２とで構成したものである。
【００７３】
該一次アンテナコイル２４１は、図５に示すように、径ｄ１が３ｍｍの導体によって作成したループ径Ｄ１が１５０ｍｍのループアンテナであり、該二次アンテナコイル２４２は、円筒状アンテナであり、ループ径Ｄ２が１１０ｍｍで、厚さＴ２が０．０８ｍｍ、幅Ｗ２が３５ｍｍのアンテナコイルである。図４に示すように、該一次アンテナコイル２４１及び該２次アンテナコイル２４２は、アンテナ支持体２５の上下の支持腕２５３、２５４で、後述するように、各々支持され、該一次アンテナコイル２４１は、同軸ケーブルを介して前記リーダ・ライタ２に接続しているものである。
【００７４】
該一次アンテナコイル２４１は、前記受皿３ｂの中心を中心とする状態でその周囲に配し、該二次アンテナコイル２４２は、該一次アンテナコイル２４１の下方で、同様に該受皿３ｂの中心を中心とする状態でその周囲に配する。前者の電子天秤１の重量測定面１１からの高さは約１００ｍｍとし、後者の下端の該重量測定面１１からの高さは６０ｍｍとしたものである。
【００７５】
該二次アンテナコイル２４２は、該一次アンテナコイル２４１と電磁的に結合しており、同時にＩＣタグ６から受け取る電磁波による該一次アンテナコイル２４１の起電力を強化する作用を果たすものである。
【００７６】
なお、前記アンテナ支持体２５は、図４に示すように、アクリル樹脂製の部材であり、その下部の前記リーダ・ライタ２の筐体２ａ２の側部から横方向に延びる水平基部２５１と、該水平基部２５１の外端から直立する支柱部２５２と、該支柱部２５２の上端から逆の横方向に延長する上下二つの支持腕部２５３、２５４とからなり、前記したように、前記一次アンテナコイル２４１は、上方の支持腕部２５３の先端に結合された塩化ビニル製の円環状支持パイプ２５５に内装状態で支持される。該一次アンテナコイル２４１は、詳細には、支持腕部２５３内に配された整合回路を介して前記同軸ケーブルに結合し、該同軸ケーブルを介して前記リーダ・ライタ２に結合している。二次アンテナコイル２４２は、下方の支持腕部２５４の先端に固設されている。なおまた以上の二次アンテナコイル２４２は受皿３ｂの後記受皿本体３ｂ１又は後記円筒状接続部３ｂ２に取り付けて、アンテナ支持体２５とは切り離しても良い。もっともこのようにした場合は、前記電子天秤１の較正部で行うゼロ設定の幅が若干大きくなる。
【００７７】
以上のごとくして該一次アンテナコイル２４１及び二次アンテナコイル２４２は、前記のように、所定の位置に保持される状態になる。
【００７８】
なお、図４中、２４３はアンテナ用配線である。
なおまた、前記リーダ・ライタ２に電力を供給する電源コード２ａ５は、実施例２と同様に、前記筐体２ａ２の入出力端子部を介して外部に引き出してある。
【００７９】
前記受皿３ｂは、図４及び図６に示すように、実施例１の受皿３と基本構成が同様であり、同様の材質で構成し、同様の構成要素からなる。即ち、上部の上広がり円筒状の受皿本体３ｂ１と下部のストレートな円筒状接続部３ｂ２とで構成したものである。図４及び図６中、３ｂ３は、受皿３ｂの底面である。この受皿３ｂは、サイズのみが実施例１の受皿３と異なり、上端開口部の内径Ｄ３は１９０ｍｍ、受皿本体３ｂ１の高さＨ２は１００ｍｍ、下部の円筒状接続部３ｂ２の内径Ｄ４は１００ｍｍ、高さＨ３は５０ｍｍである。
【００８０】
前記保持具４は、前記したように、実施例１の保持具４と全く同様材質、同様の構成である。
該保持具４は、前記のように、保持具基部４１の下面を前記電子天秤１の重量測定面１１に接合固着するものであるが、この実施例３でも、実施例１と同様に、接着剤を用いて接着固定した。またこの接着固定は、保持具基部４１の中心と該重量測定面１１の中心とを一致させて行ったものである。
【００８１】
従ってこの実施例３のマウス用体重測定及び記録装置は実施例１、２のそれと全く同様に使用可能であり、同様の効果を有する。
【００８２】
若干異なる部分に関してのみ以下に述べる。
この実施例３では、リーダ・ライタ２の通信用のアンテナコイルとして、前記一次アンテナコイル２４１及び二次アンテナコイル２４２を採用し、前記のように配したため、一層、マウス７中に埋め込んだＩＣタグ６との通信が安定して行われるようになり、１０００匹の体重測定及び記録を行ったが、通信エラーは一度も起こさなかった。
【００８３】
また前記アンテナ支持体２５は、実施例２のアンテナ支持体２ａ４と同様に、リーダ・ライタ２の筐体２ａ２の側部から立ち上げてあるため、該筐体２ａ２の上に、電子天秤１の筐体１２を正確に重ねれば、自ずと該アンテナ支持体２５が支持する一次アンテナコイル２４１及び二次アンテナコイル２４２の正確な位置決めがなされることになる。それ故、一次アンテナコイル２４１及び二次アンテナコイル２４２の位置決めが容易になる利点がある。勿論、アンテナ支持体２５それ自体の安定性も実施例１のアンテナ支持体２２より高まっている。
【００８４】
なお、前記二次アンテナコイル２４２を取り外してテストしてみたところ、約５０％の通信エラーが生じる結果となった。もっともこれは、二次アンテナコイル２４２の存在を前提とした高い位置に一次アンテナコイル２４１が位置するために生じた結果であり、該一次アンテナコイル２４１を前記受皿３ｂの底面３ｂ３より僅かに高い程度の高さ位置に配するものとすれば、実施例１と同等程度の結果が得られるものと予測される。
【符号の説明】
【００８５】
１    電子天秤
１１  電子天秤の重量測定面
１２  電子天秤の筐体
１３  体重測定部
１４  調節脚
１５  入出力端子部
１６  電源コード
１７  アンテナ用配線
２    リーダ・ライタ
２１  アンテナコイル
２２  アンテナ支持体
２２１  支持体基部
２２２  支柱部
２２３  支持腕部
２２４  円環状支持パイプ
２４  アンテナコイル
２４１  一次アンテナコイル（アンテナコイル）
２４２  二次アンテナコイル（補助アンテナコイル）
２４３  アンテナ用配線
２５  アンテナ支持体
２５１  水平基部
２５２  支柱部
２５３  上の支持腕
２５４  下の支持腕
２５５  円環状支持パイプ
２ａ  リーダ・ライタ
２ａ１  アンテナコイル
２ａ２  リーダ・ライタの筐体
２ａ３  リーダ・ライタの筐体の調節脚
２ａ４  アンテナ支持体
２ａ４１  水平基部
２ａ４２  支柱部
２ａ４３  支持腕部
２ａ４４  円環状支持パイプ
２ａ５  電源コード
２ａ６  アンテナ用配線
３    受皿
３１  受皿本体
３２  円筒状接続部
３３  受皿の底面
３ａ  受皿
３ａ１  受皿本体
３ａ２  円筒状接続部
３ａ３  受皿の底面
３ｂ  受皿
３ｂ１  受皿本体
３ｂ２  円筒状接続部
３ｂ３  受皿の底面
４    保持具（保持部材）
４１  保持具基部
４２  円筒部
４３  環状係止溝
４ａ  保持具
４ａ１  保持具基部
４ａ２  円筒部
４ａ３  環状係止溝
５    パーソナルコンピュータ（コンピュータ、ＰＣ）
５１  モニタ
５１１  計測開始ボタン
５１２  計測データ欄
５１３  データ表示欄
５１４  計測件数欄
５１５  終了ボタン
５１６  ＣＳＶ保存のボタン
５２  ＰＣのキーボード
６    ＩＣタグ
６ａ  ＩＣタグ
７    マウス
【図１】
2010266289.tif 000003
【図２】
2010266289.tif 000004
【図３】
2010266289.tif 000005
【図４】
2010266289.tif 000006
【図５】
2010266289.tif 000007
【図６】
2010266289.tif 000008
【図７】
2010266289.tif 000009